【手続補正書】
【提出日】平成20年4月22日(2008.4.22)
【手続補正１】
【補正対象書類名】特許請求の範囲
【補正対象項目名】請求項１
【補正方法】変更
【補正の内容】
【請求項１】
体重，身長をｘ−ｙ軸とし、所定の体重，身長及び体格指数ＢＭＩを基準に、まず、６０〜７０ｋｇの間の基準体重値ａのラインで体重を高体重範囲Ｈと低体重範囲Ｓの２群に分け、該所定基準体重値ａ以上の高体重範囲Ｈでは、１７０〜１８０ｃｍの間の基準身長値ｂのラインとＢＭＩ２４〜２８の間の基準ＢＭＩ値ｃのラインの交点Ｐ未満の低体重側ではＢＭＩ値ｃのラインを、前記交点Ｐ以上の高体重側では基準身長値ｂのラインをそれぞれ境界線として高体重範囲Ｈを高身長Ｌタイブ側と低身長Ｂタイプ側とに２分割し、高身長Ｌタイブ側をがっちり体型，低身長Ｂタイプ側を中肉中背体型とし、一方、所定基準体重ａ未満の低体重範囲Ｓ側では、１６０〜１７０ｃｍの間の基準身長値ｂ´のラインとＢＭＩ値１７．５〜２０の間の基準ＢＭＩ値ｃ´のラインとの交点Ｐ´より低体重側は基準身長値ｂ´のラインを、前記交点Ｐ´以上の高体重側ではＢＭＩ値ｃ´のラインをそれぞれ境界線として低体重範囲Ｓをを高身長Ｙタイプ側と低身長Ａタイプ側とに２分割し、高身長Ｙタイプ側をほっそり体型，低身長Ａタイプ側を小柄体型として寝姿勢体型を分類することを特徴とする寝姿勢の体型別分類方法。
【手続補正２】
【補正対象書類名】明細書
【補正対象項目名】０００９
【補正方法】変更
【補正の内容】
【０００９】
請求項１の発明にあっては、寝姿勢の体型別分類方法であって、体重，身長をｘ−ｙ軸とし、所定の体重，身長及び体格指数ＢＭＩを基準に、まず、６０〜７０ｋｇの間の基準体重値ａのラインで体重を高体重範囲Ｈと低体重範囲Ｓの２群に分け、該所定基準体重値ａ以上の高体重範囲Ｈでは、１７０〜１８０ｃｍの間の基準身長値ｂのラインとＢＭＩ２４〜２８の間の基準ＢＭＩ値ｃのラインの交点Ｐ未満の低体重側ではＢＭＩ値ｃのラインを、前記交点Ｐ以上の高体重側では基準身長値ｂのラインをそれぞれ境界線として高体重範囲Ｈを高身長Ｌタイブ側と低身長Ｂタイプ側とに２分割し、高身長Ｌタイブ側をがっちり体型，低身長Ｂタイプ側を中肉中背体型とし、一方、所定基準体重ａ未満の低体重範囲Ｓ側では、１６０〜１７０ｃｍの間の基準身長値ｂ´のラインとＢＭＩ値１７．５〜２０の間の基準ＢＭＩ値ｃ´のラインとの交点Ｐ´より低体重側は基準身長値ｂ´のラインを、前記交点Ｐ´以上の高体重側ではＢＭＩ値ｃ´のラインをそれぞれ境界線として低体重範囲Ｓを高身長Ｙタイプ側と低身長Ａタイプ側とに２分割し、高身長Ｙタイプ側をほっそり体型，低身長Ａタイプ側を小柄体型として寝姿勢体型を分類する分類方法である。
請求項３の発明にあっては、請求項１の寝姿勢の体型別分類方法を利用する寝具選定システムであって、体重，身長をｘ−ｙ軸とし、所定の体重，身長及び体格指数ＢＭＩを基準に、まず、６０〜７０ｋｇの間の基準体重値ａのラインで体重を高体重範囲Ｈと低体重範囲Ｓの２群に分け、該所定基準体重値ａ以上の高体重範囲Ｈでは、１７０〜１８０ｃｍの間の基準身長値ｂのラインとＢＭＩ２４〜２８の間の基準ＢＭＩ値ｃのラインの交点Ｐ未満の低体重側ではＢＭＩ値ｃのラインを、前記交点Ｐ以上の高体重側では基準身長値ｂのラインをそれぞれ境界線として高体重範囲Ｈを高身長Ｌタイブ側と低身長Ｂタイプ側とに２分割し、高身長Ｌタイブ側をがっちり体型，低身長Ｂタイプ側を中肉中背体型とし、一方、所定基準体重ａ未満の低体重範囲Ｓ側では、１６０〜１７０ｃｍの間の基準身長値ｂ´のラインとＢＭＩ値１７．５〜２０の間の基準ＢＭＩ値ｃ´のラインとの交点Ｐより低体重側は基準身長値ｂ´のラインを、前記交点Ｐ以上の高体重側ではＢＭＩ値ｃ´のラインをそれぞれ境界線として低体重範囲Ｓをを高身長Ｙタイプ側と低身長Ａタイプ側とに２分割し、高身長Ｙタイプ側をほっそり体型，低身長Ａタイプ側を小柄体型として寝姿勢体型を分類し、上記寝姿勢体型分類方法により、寝具使用者の体型を事前に検知し、あらかじめ身長体重のバラエテイに順じて準備した寝具の内から、寝具を使用する人の体重と身長に見合った敷き寝具を選択する。
そして、請求項２，４の発明にあっては、Ｂタイプ及びＹタイプの領域を広くするために基準ＢＭＩ値ｃのラインを基準体重値ａ以下の範囲で延長し、延長した基準ＢＭＩ値ｃよりも高体重側にある範囲を低身長Ｂタイプの範囲に加え、基準ＢＭＩ値ｃ´のラインを基準体重値ａ以上の範囲まで延長し、延長した基準ＢＭＩ値ｃ´よりも低体重側にある範囲を高身長タイプＹに加えている。
【手続補正３】
【補正対象書類名】明細書
【補正対象項目名】００１２
【補正方法】変更
【補正の内容】
【００１２】
図２は敷寝具に寝た時の沈み込み形状を計測したものである。沈み込み形状がよく判るように厚さ１５ｃｍの低反撥ウレタンマットレスの上に仰臥姿勢で後正中線に沿った身長方向の沈み込みと敷寝具に対し９０度の角度での側臥姿勢で寝た時の沈み込み形状を示す。仰臥位では臀部と背部が、側臥位では肩と腰の部分の変形が大きいことがわかる。
【手続補正４】
【補正対象書類名】明細書
【補正対象項目名】００１４
【補正方法】変更
【補正の内容】
【００１４】
仰臥姿勢で使用した各種敷寝具について就寝者の後正中線に沿った部位の沈み量と体圧について計測した図を図１に示す。図１ａはソフトな木綿わたを使った“和とじふとん”図１ｂはポリエステル硬わたの周りを羊毛わたで包んだ“羊毛硬わたふとん”、そして、図１ｃは凹凸ウレタンフォームの表面に凹凸プロファイル加工を施した“プロファイルふとん”である。
いずれも市販されている布団で、和とじふとんは、全体に体圧分散は良いが沈み込みが大きく、臀部はやや底付きして体圧が高くなっている。羊毛硬わたふとんは芯部分が硬わたで構成されており、体重により沈み込み変形が抑えられているが臀部の体圧は高い。プロファイルふとんは表面の凹凸形状によりウレタンフォームの表面張力が低減され、体圧分散も沈み込みも良好である。
【手続補正５】
【補正対象書類名】明細書
【補正対象項目名】００１８
【補正方法】変更
【補正の内容】
【００１８】
上記寝具選定には図５に示す体型分類表を用いる。体型分類表は、体重，身長をｘ−ｙ軸とし、所定の体重，身長，及び体格指数ＢＭＩ値を基準に、まず、６０〜７０ｋｇの間の基準体重値ａ（６５ｋｇとする）のラインで体重を高体重範囲Ｈと低体重範囲Ｓの２群に分ける。基準体重値ａを６５ｋｇとするのは、前述の如く体型を考える一つの目安となる日本人の平均体重値であるからである。該所定基準体重値ａ以上の高体重範囲Ｈでは、１７０〜１８０ｃｍの間の基準身長値（高体重範囲の平均身長）ｂのラインによって高身長側と低身長側とに２分すると共にｂのラインとＢＭＩ２４〜２８の間の基準ＢＭＩ値ｃ（ＢＭＩ値２５）のラインの交点Ｐ未満の低体重側ではＢＭＩ値ｃのラインを、前記交点Ｐ以上の高体重側では基準身長値ｂのラインをそれぞれ境界線として高体重範囲Ｈを高身長Ｌタイプ側と低身長Ｂタイプ側とに２分割する。高身長Ｌタイプ側をがっちり体型，低身長Ｂタイプ側を中肉中背体型とする。前記において、同身長であって基準ＢＭＩ値Ｃのラインよりも体重を有する者は肥満型であり、体重の少ない者は標準体型と云うことになる。一方、所定基準体重ａ未満の低体重範囲Ｓ側では、１６０〜１７０ｃｍの間の基準身長値（低体重範囲の平均身長）ｂ´のラインによって高身長側と低身長側とに２分すると共にｂ´のラインとＢＭＩ値１７．５〜２０の間の基準ＢＭＩ値ｃ´（ＢＭＩ値１８）のラインとの交点Ｐ´より低体重側は基準身長値ｂ´のラインを、前記交点Ｐ´以上の高体重側ではＢＭＩ値ｃ´のラインをそれぞれ境界線として低体重範囲Ｓをを高身長Ｙタイプ側と低身長Ａタイプ側とに２分割する。高身長Ｙタイプ側をほっそり体型，低身長Ａタイプ側を小柄体型とする。前記において同身長であって基準ＢＭＩ値ｃ´のラインよりも体重を有する者は標準体型であり、体重の少ない者は痩身体型と云え、このようにして寝姿勢体型を分類する。